(57)【要約】【課題】収縮率の大きい材料を基板として採用できるように工夫した建築用板材を提供する。【解決手段】基板１に表面材２を接着して形成される建築用板材であって、前記基板１と表面材２は、基板１の方が表面材２よりも収縮率の大きな材料であり、基板１には、長さ方向に対する収縮吸収部１ａ，１ｂが形成されている。基板１として、安価であるが収縮率の大きな材料（ＭＤＦやパーチクルボード等）を用い、表面材２として、高価であるが収縮率の小さな材料（ＷＰＣ等）を用いることで、総合的に建築用板材を安価にするとともに、収縮率の大きな材料である基板１には、長さ方向に対する収縮吸収部１ａ，１ｂを形成することで、建築用板材の反りを抑制できるようになる。【選択図】図１
2008202355.tif 000002
【特許請求の範囲】
【請求項１】
基板に表面材を接着して形成される建築用板材であって、
前記基板と表面材は、基板の方が表面材よりも収縮率の大きな材料であり、基板には、長さ方向に対する収縮吸収部が形成されていることを特徴とする建築用板材。
【請求項２】
前記収縮吸収部は、基板の長さ方向に所定の間隔で、幅方向に基板を切断する切断部であり、各切断隙間に、柔軟性と接着性とを有する充填材が充填されていることを特徴とする請求項１に記載の建築用板材。
【請求項３】
前記収縮吸収部は、基板の長さ方向に所定の間隔で、幅方向に延在する切り込み部であり、各切り込み隙間に、柔軟性と接着性とを有する充填材が充填されていることを特徴とする請求項１に記載の建築用板材。
【請求項４】
前記表面材は、基板の表面と、この表面に隣接する少なくとも一方の面とに接着され、表面材の接着面の基板の角に相当する部分は、Ｖ字状にカットされていることを特徴とする請求項１〜３のいずれか一項に記載の建築用板材。
【発明の詳細な説明】
【技術分野】
【０００１】
本発明は、建築用板材に関する。
【背景技術】
【０００２】
従来、基板（合板）の表面に表面材を接着するとともに、基板の裏面に、多数本の切溝を形成した建築用板材（床材）がある（特許文献１参照）。
【０００３】
前記のような切溝は、基板と表面材とが収縮率が異なることに起因する建築用板材の反りを抑制するために形成されているものである。
【０００４】
ところで、一般的な建築用板材では、表面材の収縮率よりも基板（合板）の収縮率の方が小さく、剛性も基板の方が大きいことから、結果として、前記のような切溝を形成しなくても、建築用板材の反りは実用的な範囲に収まっていることが多い。
【特許文献１】特開平２−３１１６５９号公報
【発明の開示】
【発明が解決しようとする課題】
【０００５】
しかしながら、基板として一般的に用いられるＷＰＣ（Ｗｏｏｄ  Ｐｌａｓｔｉｃ  Ｃｏｍｂｉｎａｔｉｏｎ）は、表面材として一般的用いられるＭＤＦ（Ｍｅｄｉｕｍ  Ｄｅｎｓｉｔｙ  Ｆｉｂｅｒｂｏａｒｄ）やパーチクルボードと比べて、収縮率は小さいが高価であり、逆に、ＭＤＦやパーチクルボードは安価である代わりに収縮率が大きいので、建築用板材の基板としては、目隙や反りが生じやすい安価なＭＤＦやパーチクルボードを採用できないという不具合があった。
【０００６】
なお、ＷＰＣは、木材組織の空隙部等にプラスチックを注入・充填して、硬化させた板材である。また、ＭＤＦやパーチクルボードは、木材原料を小片またはそれ以下の要素に細分化し、これを接着剤等の結合剤によって再構成した板材である。
【０００７】
本発明は、前記問題を解消するためになされたもので、収縮率の大きい材料を基板として採用できるように工夫した建築用板材を提供することを目的とするものである。
【課題を解決するための手段】
【０００８】
前記課題を解決するために、本発明は、基板に表面材を接着して形成される建築用板材であって、前記基板と表面材は、基板の方が表面材よりも収縮率の大きな材料であり、基板には、長さ方向に対する収縮吸収部が形成されていることを特徴とする建築用板材を提供するものである。
【０００９】
請求項２のように、前記収縮吸収部は、基板の長さ方向に所定の間隔で、幅方向に基板を切断する切断部であり、各切断隙間に、柔軟性と接着性とを有する充填材が充填されていることが好ましい。
【００１０】
請求項３のように、基板の長さ方向に所定の間隔で、幅方向に延在する切り込み部であり、各切り込み隙間に、柔軟性と接着性とを有する充填材が充填されていることが好ましい。
【００１１】
請求項４のように、前記表面材は、基板の表面と、この表面に隣接する少なくとも一方の面とに接着され、表面材の接着面の基板の角に相当する部分は、Ｖ字状にカットされていることが好ましい。
【発明の効果】
【００１２】
本発明によれば、基板として、安価であるが収縮率の大きな材料（ＭＤＦやパーチクルボード等）を用い、表面材として、高価であるが収縮率の小さな材料（ＷＰＣ等）を用いることで、総合的に建築用板材を安価にするとともに、収縮率の大きな材料である基板には、長さ方向に対する収縮吸収部を形成することで、建築用板材の反りを抑制できるようになる。
【００１３】
請求項２によれば、各切断隙間に、柔軟性と接着性とを有する充填材を充填することで、切断された各片がばらばらにならずに、基板の一体化形状を維持できるので、取り扱いが容易になる。
【００１４】
請求項３によれば、各切り込み隙間に、柔軟性と接着性とを有する充填材を充填することで、切り込みに起因する基板の反りが抑制されるようになる。
【００１５】
請求項４によれば、Ｖ字状カットによって、表面材を基板の角に沿わせて綺麗に折り曲げることができる。
【発明を実施するための最良の形態】
【００１６】
以下、本発明を実施するための最良の形態について、図面を参照しながら詳細に説明する。
【００１７】
図２（ａ）に示すように、基板１は、例えば、縦横が６尺・３尺（１．８ｍ×０．９ｍ）、厚みが６ｍｍの長方形状の定寸であって、安価であるが収縮率の大きな材料（ＭＤＦやパーチクルボード等）を用いている。
【００１８】
なお、基板１の製造時および後述する表面材２の接着時は、基板１および表面材２は、縦方向に連続した長尺物であって、表面材２の接着後に、建築用板材（床材や壁材等）として要求される定寸に切断するようになっている。
【００１９】
図２（ｂ）に示すように、基板１には、基板１の長さ方向に所定の間隔で、幅方向に基板１を切断する切断部（収縮吸収部）１ａが形成されている〔図３（ｂ）参照〕。そして、図４（ｃ）に詳細に示すように、各切断隙間に、柔軟性と接着性とを有する、例えばウレタン樹脂またはシリコン樹脂等の充填材４が充填されている。
【００２０】
または、図２（ｃ）に示すように、基板１には、基板１の長さ方向に所定の間隔で、幅方向に延在する切り込み部（収縮吸収部）１ｂが形成されている。そして、図４（ｄ）に詳細に示すように、各切り込み隙間に、柔軟性と接着性とを有する、例えばウレタン樹脂またはシリコン樹脂等の充填材４が充填されている。この切り込み部１ｂは、基板１の表面１ｃから裏面１ｄ側に向かうように切り込まれて、裏面に切り込みが見えないようにしている〔図３（ｃ）参照〕。
【００２１】
図１（ａ）および図４（ａ）に示すように、表面材２は、基板１の表面１ｃと、その隣接する一方の側面１ｅとに対応する幅に形成され、厚みが２〜３ｍｍであって、高価であるが収縮率の小さな材料（ＷＰＣ等）を用いている。
【００２２】
表面材２は、図１（ａ）および図３（ａ）のように、基板１の表面１ｃと一方の側面１ｅとに接続剤で接着されるようになる。
【００２３】
図４（ａ）（ｂ）に示すように、表面材２の接着面２ａの基板１の角に相当する部分には、Ｖ字状カット２ｂが形成されている。
【００２４】
前記のように、建築用板材を構成すれば、基板１として、安価であるが収縮率の大きな材料（ＭＤＦやパーチクルボード等）を用い、表面材２として、高価であるが収縮率の小さな材料（ＷＰＣ等）を用いることで、総合的に建築用板材を安価にするとともに、収縮率の大きな材料である基板１には、長さ方向に対する収縮吸収部である切断部１ａまたは切り込み部１ｂを形成することで、建築用板材の反りを抑制できるようになる。
【００２５】
また、基板１に切断部１ａを形成した場合、各切断隙間に、柔軟性と接着性とを有する充填材４を充填したから、切断された各片がばらばらにならずに、基板の一体化形状を維持できるので、取り扱いが容易になる。
【００２６】
さらに、基板１に切り込み部１ｂ形成した場合、各切り込み隙間に、柔軟性と接着性とを有する充填材４を充填したから、切り込みに起因する基板１の反りが抑制されるようになる。
【００２７】
また、表面材２の接着面２ａの基板１の角に相当する部分に、Ｖ字状カット２ｂを形成したから、Ｖ字状カット２ｂによって、表面材２を基板１の角に沿わせて綺麗に折り曲げることができる。
【００２８】
前記実施形態は、基板１の表面１ｃと一方の側面１ｅとに表面材２を接着したものであったが、図１（ｂ）のように、基板１の表面１ｃと両方の側面１ｅ，１ｆとに表面材２を接着、または、図１（ｃ）のように、基板１の表面１ｃと両方の側面１ｅ，１ｆと裏面１ｄの一部とに表面材２を接着、さらに、図１（ｄ）のように、基板１の表面１ｃと両方の側面１ｅ，１ｆと裏面１ｄの全部とに表面材２を接着することもできる。
【図面の簡単な説明】
【００２９】
【図１】本発明の実施形態に係る建築用板材であり、（ａ）〜（ｄ）は、それぞれ表面材の形状が異なる斜視図である。
【図２】本発明の実施形態に係る基板であり、（ａ）は収縮吸収部を形成する前の斜視図、（ｂ）は切断部（収縮吸収部）を形成した後の斜視図、（ｃ）は切り込み部（収縮吸収部）を形成した後の斜視図である。
【図３】本発明の実施形態に係る建築用板材であり、（ａ）は斜視図、（ｂ）は基板に切断部を形成した側面図、（ｃ）は基板に切り込み部を形成した側面図である。
【図４】（ａ）は本発明の実施形態に係る表面材の斜視図、（ｂ）は（ａ）の要部拡大図、（ｃ）は本発明の実施形態に係る基板の切断部の拡大断面図、（ｄ）は本発明の実施形態に係る基板の切り込み部の拡大断面図である。
【符号の説明】
【００３０】
１    基板
１ａ  切断部（収縮吸収部）
１ｂ  切り込み部（収縮吸収部）
１ｃ  表面
１ｄ  裏面
１ｅ，１ｆ  側面
２    表面材
２ａ  接着面
２ｂ  Ｖ字状カット
４    充填材
【図１】
2008202355.tif 000003
【図２】
2008202355.tif 000004
【図３】
2008202355.tif 000005
【図４】
2008202355.tif 000006